(57)【要約】【課題】カメラを操作する権原を有しない人物がカメラを操作した場合にのみ、カメラが異常操作されたと判定するようにする。【解決手段】エレベータの防犯装置において、エレベータの乗りかご１内に設置され、乗りかご１内の映像を撮影し、撮影した映像を記録する記録媒体８を着脱可能に内蔵するカメラ３と、記録媒体８をカメラ３から取外す際に開放されるカバー９が開放されたことを検出するカバー開放検出部１０と、カバー９を開放した人物がカメラ３を操作する権原を有する人物であることを認証する人物認証部４と、人物認証部４で認証されない人物によってカバー９が開放された場合にカメラ３が異常操作されたと判定する異常操作判定部１１と、を備える。【選択図】    図２
2009214968.tif 000002
【特許請求の範囲】
【請求項１】
エレベータの乗りかご内に設置され、前記乗りかご内の映像を撮影し、撮影した映像を記録する記録媒体を着脱可能に内蔵するカメラと、
前記記録媒体を前記カメラから取外す際に開放されるカバーが開放されたことを検出するカバー開放検出部と、
前記カバーを開放した人物が前記カメラを操作する権原を有する人物であることを認証する人物認証部と、
前記人物認証部で認証されない人物によって前記カバーが開放された場合に前記カメラが異常操作されたと判定する異常操作判定部と、
を備えることを特徴とするエレベータの防犯装置。
【請求項２】
前記人物認証部は、人物の身体的特徴又は人物が携帯する認証部材を読み取ることにより人物を認証することを特徴とする請求項１記載のエレベータの防犯装置。
【請求項３】
前記異常操作判定部により前記カメラが異常操作されたと判定された場合、前記カメラが設置された前記乗りかごのかごドアを閉止状態に維持して前記乗りかごを閉じ込め制御する閉じ込め制御部を備えることを特徴とする請求項１又は２記載のエレベータの防犯装置。
【請求項４】
前記閉じ込め制御部により閉じ込め制御された前記乗りかごを、予め設定された階床に移動させる乗りかご移動制御部を備えることを特徴とする請求項３記載のエレベータの防犯装置。
【請求項５】
前記閉じ込め制御部により閉じ込め制御された前記乗りかごの閉じ込め制御を解除する閉じ込め制御解除部を備えることを特徴とする請求項３又は４記載のエレベータの防犯装置。
【請求項６】
前記異常操作判定部により前記カメラが異常操作されたと判定された場合、前記異常操作の発生を報知する報知部を備えることを特徴とする請求項１ないし５のいずれか一に記載のエレベータの防犯装置。
【請求項７】
前記カメラは、非着脱式の第２記録部と、前記異常操作判定部により前記カメラが異常操作されたと判定された場合に前記記録媒体に記録されている映像を前記第２記録部にバックアップする記録保護部と、を備えることを特徴とする請求項１ないし６のいずれか一に記載のエレベータの防犯装置。
【請求項８】
前記カメラは、非着脱式の第２記録部と、前記異常操作判定部により前記カメラが異常操作されたと判定された場合、前記異常操作が発生した後に前記カメラにより撮影された映像の記録場所を前記記録媒体から前記第２記録部に切替える記録場所選択部と、を備えることを特徴とする請求項１ないし６のいずれか一に記載のエレベータの防犯装置。
【請求項９】
前記異常操作判定部により前記カメラが異常操作されたと判定された場合、前記異常操作が発生した後に前記カメラにより撮影された映像の記録場所を前記記録媒体から前記第２記録部に切替える記録場所選択部と、を備えることを特徴とする請求項７記載のエレベータの防犯装置。
【請求項１０】
群管理される複数のエレベータのそれぞれに設けられる請求項１記載のエレベータの防犯装置と、
前記異常操作判定部により前記カメラが異常操作されたと判定された場合、前記カメラが設置された前記乗りかごのかごドアを閉止状態に維持して前記乗りかごを閉じ込め制御する閉じ込め制御部と、
前記閉じ込め制御部により閉じ込め制御された前記乗りかごに割り当てられているホール呼びをキャンセルし、キャンセルした前記ホール呼びの割り当てを他の乗りかごに変更する割り当て変更部と、
を備えることを特徴とする群管理エレベータの防犯装置。
【請求項１１】
群管理される複数のエレベータのそれぞれに設けられる請求項１記載のエレベータの防犯装置と、
前記異常操作判定部により前記カメラが異常操作されたと判定された場合、前記カメラが設置された前記乗りかごのかごドアを閉止状態に維持して前記乗りかごを閉じ込め制御する閉じ込め制御部と、
前記閉じ込め制御部により閉じ込め制御された前記乗りかごが停止している階床に向けて警備担当者が乗車した他の乗りかごを直行させるパトカー運転制御部と、
を備えることを特徴とする群管理エレベータの防犯装置。
【請求項１２】
前記閉じ込め制御部により閉じ込め制御された前記乗りかごを、予め設定された階床に移動させる乗りかご移動制御部と、
前記異常操作判定部により前記カメラが異常操作されたと判定された場合、前記異常操作の発生を報知する報知部と、
前記乗りかご移動制御部により移動された前記乗りかごが停止している階床に向けて警備担当者が乗車した他の乗りかごを直行させるパトカー運転制御部と、
を備えることを特徴とする請求項１０記載の群管理エレベータの防犯装置。
【発明の詳細な説明】
【技術分野】
【０００１】
本発明は、エレベータの防犯装置及び群管理エレベータの防犯装置に関し、特に、着脱可能な記録媒体を備えたカメラを乗りかご内に設置したエレベータの防犯装置及び群管理エレベータの防犯装置に関する。
【背景技術】
【０００２】
従来、乗りかご内の適宜な箇所にカメラを取り付け、乗りかごの上部に記録装置を設置し、カメラで撮影した乗りかご内の映像を当該記録装置に記録するようにしたエレベータの防犯装置が知られている。
【０００３】
また、近年では、カメラに記録媒体を着脱可能に取付け、カメラで撮影した乗りかご内の映像を当該記録媒体に記録するようにしたエレベータの防犯装置が普及している。
【０００４】
記録媒体がカメラに着脱可能に取付けられていると、撮影した映像を再生する場合には当該記録媒体をカメラから取外せばよく、従来のように、撮影した映像を再生するために乗りかごの上部に上がる必要がなく、撮影した映像を再生する際の手間と時間とを大幅に軽減することができる。しかも、カメラからの記録媒体の取外しは、専門のエレベータ保守員に頼らず、当該エレベータが設置されている建物の管理人などでも容易に行なうことができる。
【０００５】
このような乗りかご内に設置されたカメラに対して悪戯が行なわれる場合があり、そのような悪戯に対処することが可能なエレベータの防犯装置の一例が下記特許文献１に記載されている。下記特許文献１に記載されたエレベータの防犯装置によれば、乗りかご内に設けたカメラが操作された場合にカメラ異常を検出する検出部を設け、検出部がカメラ異常を検出した場合には乗りかごのドアを閉止状態とし、カメラ異常の原因となる操作、例えば、カメラに対する悪戯をした人物を乗りかご内に閉じ込めるようにしている。
【特許文献１】特開２００４−５１２６９号公報
【発明の開示】
【発明が解決しようとする課題】
【０００６】
しかしながら、特許文献１に記載されたエレベータの防犯装置によれば、カメラを操作した人物が、どのような人物であるかについては言及していない。このため、管理人等が記録媒体の交換や撮影映像の再生のためにカメラから記録媒体を取外そうとした場合において、検出部がカメラ異常が発生したと誤検出し、管理人等が乗りかご内に閉じ込められることが起こりえる。したがって、記録媒体が着脱可能に取付けられた形式のカメラを乗りかご内に設置している場合には、特許文献１に記載されたエレベータの防犯装置を適用することが困難である。
【０００７】
本発明はこのような課題を解決するためになされたもので、その目的は、カメラを操作する権原を有しない人物がカメラを操作した場合にのみ、カメラが異常操作されたと判定することができるエレベータの防犯装置及び群管理エレベータの防犯装置を提供することである。
【課題を解決するための手段】
【０００８】
本発明の実施の形態に係る第１の特徴は、エレベータの防犯装置において、エレベータの乗りかご内に設置され、前記乗りかご内の映像を撮影し、撮影した映像を記録する記録媒体を着脱可能に内蔵するカメラと、前記記録媒体を前記カメラから取外す際に開放されるカバーが開放されたことを検出するカバー開放検出部と、前記カバーを開放した人物が前記カメラを操作する権原を有する人物であることを認証する人物認証部と、前記人物認証部で認証されない人物によって前記カバーが開放された場合に前記カメラが異常操作されたと判定する異常操作判定部と、を備えることである。
【０００９】
本発明の実施の形態に係る第２の特徴は、群管理エレベータの防犯装置において、群管理される複数のエレベータのそれぞれに設けられる請求項１記載のエレベータの防犯装置と、前記異常操作判定部により前記カメラが異常操作されたと判定された場合、前記カメラが設置された前記乗りかごのかごドアを閉止状態に維持して前記乗りかごを閉じ込め制御する閉じ込め制御部と、前記閉じ込め制御部により閉じ込め制御された前記乗りかごに割り当てられているホール呼びをキャンセルし、キャンセルした前記ホール呼びの割り当てを他の乗りかごに変更する割り当て変更部と、を備えることである。
【００１０】
本発明の実施の形態に係る第３の特徴は、群管理エレベータの防犯装置において、群管理される複数のエレベータのそれぞれに設けられる請求項１記載のエレベータの防犯装置と、前記異常操作判定部により前記カメラが異常操作されたと判定された場合、前記カメラが設置された前記乗りかごのかごドアを閉止状態に維持して前記乗りかごを閉じ込め制御する閉じ込め制御部と、前記閉じ込め制御部により閉じ込め制御された前記乗りかごが停止している階床に向けて警備担当者が乗車した他の乗りかごを直行させるパトカー運転制御部と、を備えることである。
【発明の効果】
【００１１】
本発明によれば、カメラを操作する権原を有しない人物、例えば、カメラに悪戯をする人物や犯罪者等がカメラを操作した場合にのみ、カメラが異常操作されたと判定することができる。
【発明を実施するための最良の形態】
【００１２】
以下、本発明の実施の形態を図面を用いて説明する。
【００１３】
（第１の実施の形態）
本発明の第１の実施の形態に係るエレベータの防犯装置について、図１ないし図３に基づいて説明する。
【００１４】
図１は、エレベータの乗りかご１を示す模式図である。乗りかご１には、開閉可能なかごドア２と、乗りかご１内を撮影するカメラ３と、カメラ３を操作する人物がカメラ３を操作する権原を有する人物であることを認証する人物認証部である暗証番号入力部４とが設けられている。カメラ３は乗りかご１内の天井の近傍に設けられ、乗りかご１内及びかごドア２から出入するエレベータ利用者を撮影可能となる向きに向けられている。暗証番号入力部４は、乗りかご１の側面に設けられている。
【００１５】
図２は、エレベータの防犯装置の構成を示すブロック図である。エレベータは、乗りかご１とエレベータの動作を制御するエレベータ制御装置５とを備え、乗りかご１には上述したカメラ３と暗証番号入力部４とかごドア２とが設けられている。
【００１６】
カメラ３には、映像撮影部６と、映像記録部７とが設けられている。映像記録部７には記録媒体８が着脱可能に取付けられ、映像撮影部６により撮影された映像が記録媒体８に記録される。
【００１７】
さらに、カメラ３には、少なくとも映像記録部７の記録媒体挿入口（図示せず）を覆い、映像記録部７に記録媒体８を着脱する際に開閉されるカバー９と、カバー９が開放されたことを検出するカバー開放検出部１０とが設けられている。
【００１８】
暗証番号入力部４は、テンキーを備えた入力装置であり、保守員や管理人等がカメラ３を操作して記録媒体８を着脱する場合に、定められたキーを押すことによりカメラ３を操作する権原を有する人物であることの認証を受けることができる。なお、この実施の形態では、人物認証部として専用の暗証番号入力部４を設けているが、かご内操作盤（図示せず）の行先階ボタンを使って暗証番号を入力し、認証を行うように構成してもよい。
【００１９】
エレベータ制御装置５には、乗りかご１の昇降動作等を制御する主制御部（図示せず）と、異常操作判定部１１と、閉じ込め制御部１２とが設けられている。
【００２０】
異常操作判定部１１には、カバー開放検出部１０と暗証番号入力部４とが接続され、これらのカバー開放検出部１０からの検出信号と暗証番号入力部４からの認証信号とにより、カメラ３が異常操作されたか否かを判定する。カメラ３が異常操作された場合とは、カバー９が開放され、かつ、カバー９が開放される前の設定時間以内に暗証番号入力部４から異常操作判定部１１に対して認証信号が入力されていない場合である。
【００２１】
なお、本実施の形態では異常操作判定部１１をエレベータ制御装置５に設置しているが、この異常操作判定部１１をカメラ３内に設け、その判定結果をエレベータ制御装置に５に出力するようにしてもよい。
【００２２】
閉じ込め制御部１２は、異常操作判定部１１によりカメラ３が異常操作されたと判定された場合に、かごドア２を閉止状態に維持し、カメラ３を操作する権原がないにも係わらずカメラ３を異常操作した人物を乗りかご１内に閉じ込める閉じ込め制御を行う。
【００２３】
図３は、カメラ３のカバー９が開放された場合におけるエレベータの防犯装置の制御について説明するフローチャートである。
【００２４】
このエレベータの防犯装置の制御においては、まず、カメラ３のカバー９が開放されたか否かが判定される（Ｓ１）。カバー９が開放されたことの判定は、カバー９が開放されたことを検出したカバー開放検出部１０からの検出信号が異常操作判定部１１に入力されることにより行われる。カバー９の開放は、保守員や管理人等のようにカメラ３を操作する権原を有する人物が記録媒体８を交換する場合や、又は、カメラ３に対すめ悪戯を行ったり犯罪者が犯罪の発覚を防止するために記録媒体８を持ち去ろうとする場合等に行なわれる。
【００２５】
カバー９が開放された場合には（Ｓ１のＹＥＳ）、そのカバー９の開放が、暗証番号入力部４での認証が行われてから設定時間以内に行なわれたものであるか否かが判定される（Ｓ２）。なお、暗証番号入力部４での認証は、暗証番号入力部４に正しい暗証番号が入力されることにより行われ、暗証番号入力部４での認証が行われた場合には、認証信号が異常操作判定部１１に入力される。暗証番号入力部４に暗証番号が入力されない場合や、誤った暗証番号が入力された場合には、異常操作判定部１１に対して認証信号は入力されない。
【００２６】
カバー９の開放が、暗証番号入力部４での認証が行われてから設定時間以内に行われた場合には（Ｓ２のＹＥＳ）、カバー９を開放した人物はカメラ３を操作する権原を有する保守員や管理人等であると判定され、カメラ３は異常操作されていないとしてエレベータの防犯装置による一連の制御が終了する。なお、設定時間以内であるか否かの判定は、異常操作判定部１１内に設けられているタイマ１３を利用して行なわれる。
【００２７】
一方、カバー９の開放が、暗証番号入力部４での認証が行われてから設定時間以内に行なわれたものでないと判定された場合には（Ｓ２のＮＯ）、異常操作判定部１１においてカメラ３が異常操作されたと判定され（Ｓ３）、閉じ込め制御部１２により乗りかご１のかごドア２を閉止状態に維持する「閉じ込め制御」が行われる（Ｓ４）。
【００２８】
閉じ込め制御が行われた乗りかご１は、カメラ３に対する異常操作が行われたと判定された後に停止可能な最寄の階床に停止され、その階床で停止状態に維持される。この閉じ込め制御が行われることにより、乗りかご１内でカメラ３を異常操作した人物は乗りかご２内に閉じ込められ、カメラ３が異常操作された場合におけるエレベータの防犯装置の一連の制御が終了する。
【００２９】
このような構成において、第１の実施の形態によれば、カバー９の開放を伴うカメラ３の操作をした人物が、カメラ３を操作する権原を有しない人物である場合、例えば、カメラ３に対して悪戯をする人物や犯罪の発覚を防止するためにカメラ３の記録媒体８を持ち去ろうとする人物である場合には、暗証番号入力部４から異常操作判定部１１への認証信号の入力を行っていないため、異常操作判定部１１においてカメラ３が異常操作されたと判定され、その人物に対する乗りかご１内への閉じ込め制御が行われる。
【００３０】
したがって、このエレベータの防犯装置を用いることにより、カメラ３に対して悪戯をした人物や犯罪の発覚を防止するためにカメラ３の記録媒体８を持ち去ろうとした人物を乗りかご１内に閉じ込め、確実に捕らえることができる。
【００３１】
一方、カバー９の開放を伴うカメラ３の操作をした人物が、カメラ３を操作する権原を有する人物である場合、例えば、保守員や管理人等であって暗証番号入力部４から異常操作判定部１１へ認証信号の入力を行っている場合には、カメラ３が異常操作されたとは判定されず、その人物に対する乗りかご１内への閉じ込め制御は行われない。このため、管理人等が必要に応じてカバー９を開放して記録媒体８の着脱を行なうことができるとともにエレベータの運行をスムーズに継続することができる。
【００３２】
（第２の実施の形態）
本発明の第２の実施の形態に係るエレベータの防犯装置について、図４ないし図６に基づいて説明する。なお、第２の実施の形態及び以下に説明する他の実施の形態において、先行して説明した実施の形態の構成要素と同じ構成要素には同じ符号を付し、重複する説明は省略する。
【００３３】
図４は、エレベータの防犯装置の構成を示すブロック図である。エレベータは、乗りかご１とエレベータの動作を制御するエレベータ制御装置５Ａとを備え、乗りかご１には、乗りかご１内を撮影するカメラ３Ａと、暗証番号入力部４と、かごドア２とが設けられている。
【００３４】
カメラ３Ａには、図５に示すように、第１の実施の形態で説明した映像撮影部６と、映像記録部７と、カバー９と、カバー開放検出部１０とに加え、第２記録部１４と、記録保護部１５と、記録場所選択部１６とが設けられている。
【００３５】
第２記録部１４は、カメラ３Ａに対して非着脱式に取付けられた記録部であり、必要に応じて、既に記録媒体８に記録されている映像がバックアップされ、又は、映像撮影部６により撮影された映像が記録される。
【００３６】
記録保護部１５は、異常操作判定部１１によりカメラ３Ａが異常操作されたと判定された場合に、記録媒体８に記録されている映像を第２記録部１４にバックアップする。
【００３７】
記録場所選択部１６は、映像撮影部６で撮影した映像を映像記録部７の記録媒体８に記録するか、又は、第２記録部１４に記録するかを選択する。具体的には、異常操作判定部１１によりカメラ３Ａが異常操作されたと判定される前は記録媒体８に記録し、異常操作判定部１１によりカメラ３Ａが異常操作されたと判定された後に、記録先を記録媒体８から第２記録部１４に変更する。
【００３８】
エレベータ制御装置５Ａには、第１の実施の形態で説明した異常操作判定部１１と、閉じ込め制御部１２とに加え、乗りかご移動制御部１７と、報知部１８とが設けられている。
【００３９】
乗りかご移動制御部１７は、閉じ込め制御部１２により閉じ込め制御された乗りかご１を、予め設定された階床に強制的に移動させる。予め設定された階床をどこに設定するかは任意であるが、例えば、管理人などが駐在する防災センタ１９のある階床に設定することが好適である。乗りかご１が強制的に移動される階床におけるホールドアの近傍には、乗りかご１の閉じ込め制御を解除する閉じ込め制御解除部である閉じ込め解除スイッチ２０が設置されている。この閉じ込め解除スイッチ２０は、エレベータ制御装置５Ａの閉じ込め制御部１２に接続されている。
【００４０】
報知部１８は、異常操作判定部１１によりカメラ３Ａが異常操作されたと判定された場合に、その判定結果を防災センタ１９等の外部に報知する。
【００４１】
図６は、カメラ３のカバー９が開放された場合におけるエレベータの防犯装置の制御について説明するフローチャートである。
【００４２】
このエレベータの防犯装置の制御においては、まず、カメラ３のカバー９が開放されたか否かが判定される（Ｓ１）。
【００４３】
カバー９が開放された場合には（Ｓ１のＹＥＳ）、そのカバー９の開放が、暗証番号入力部４での認証が行われてから設定時間以内に行なわれたものであるか否かが判定される（Ｓ２）。
【００４４】
カバー９の開放が、暗証番号入力部４での認証が行われてから設定時間以内に行われた場合には（Ｓ２のＹＥＳ）、カバー９を開放した人物はカメラ３を操作する権原を有する保守員や管理人等であると判定され、カメラ３は異常操作されていないと判定されてエレベータの防犯装置による一連の制御が終了する。
【００４５】
一方、カバー９の開放が、暗証番号入力部４での認証が行われてから設定時間以内に行なわれたものでないと判定された場合には（Ｓ２のＮＯ）、異常操作判定部１１においてカメラ３が異常操作されたと判定され（Ｓ３）、閉じ込め制御部１２により乗りかご１のかごドア２を閉止状態に維持する「閉じ込め制御」が行われる（Ｓ４）。
【００４６】
さらに、閉じ込め制御された乗りかご１が乗りかご移動制御部１７により防災センタ１９の有る階床に強制的に移動され（Ｓ１１）、報知部１８により防災センタ１９に対してカメラ３が異常操作された旨が報知される（Ｓ１２）。
【００４７】
さらに、記録保護部１５により、記録媒体８に記録されている映像が第２記録部１４にバックアップされる（Ｓ１３）。また、カメラ３の異常操作が発生した後に映像撮影部６で撮影された映像の記録先が、記録場所選択部１６により記録媒体８から第２記録部１４に変更される（Ｓ１４）。なお、ステップＳ１１における乗りかご１の強制移動と、ステップＳ１３のバックアップとに関しては、乗りかご１の強制移動を先に行なうようにしてもよい。
【００４８】
その後、乗りかご１が強制移動が終了したか否かが判定される（Ｓ１５）。乗りかご１の強制移動が終了して乗りかご１が防災センタ１９の階床に到着した場合には（Ｓ１５のＹＥＳ）、閉じ込め解除スイッチ２０が操作されたか否かが判定される（Ｓ１６）。閉じ込め解除スイッチ２０が操作された場合には（Ｓ１６のＹＥＳ）、乗りかご１の閉じ込め制御が解除される（Ｓ１７）。これにより、カメラ３が異常操作された場合におけるエレベータの防犯装置の一連の制御が終了する。なお、乗りかご１の閉じ込め制御が解除されることにより乗りかご１のかごドア２を開放することができ、かごドア２を開放して乗りかご１内に閉じ込められていた人物を捕らえることができる。
【００４９】
このような構成において、カメラ３Ａが異常操作された乗りかご１を閉じ込め制御し、その乗りかご１を強制的に予め設定された階床、例えば、防災センタ１９のある階床に移動させることにより、カメラ３Ａを異常操作したために乗りかご１内に閉じ込められた人物を確実に捕らえることができる。
【００５０】
また、報知部１８を設けたことにより、カメラ３Ａが異常操作されたことを外部の防災センタ１９等に速やかに知らせることができ、カメラ３Ａを異常操作した人物を捕らえるための対策を迅速にとることができる。
【００５１】
また、乗りかご１の閉じ込め制御を解除する解除スイッチ２０を設けたことにより、カメラ３Ａを異常操作した人物を捕らえるための最適なタイミングで閉止されていたかごドア２を開放することができ、乗りかご１内に閉じ込められていた人物を確実に捕らえることができる。
【００５２】
カメラ３Ａには記録保護部１５が設けられ、カメラ３Ａが異常操作された場合には記録媒体８に記録されていた映像が非着脱式の第２記録部１４によりバックアップされるため、記録媒体８が盗難、破棄された場合でも、記録媒体８に記録されていた映像を再生することが可能となり、犯罪者の逮捕等に役立てることができる。
【００５３】
また、カメラ３Ａには記録場所選択部１６が設けられ、カメラ３Ａの異常操作が発生した後には映像撮影部６で撮影された映像が第２記録部１４に記録されるため、記録媒体８が取外された後に映像撮影部６で撮影した映像についても確実に記録することができ、犯罪者の逮捕等に役立てることができる。
【００５４】
（第３の実施の形態）
本発明の第３の実施の形態に係る群管理エレベータの防犯装置について、図７ないし図９に基づいて説明する。
【００５５】
図７は、群管理エレベータの防犯装置の構成を示すブロック図である。この群管理エレベータは、複数台のエレベータの運行状況を監視して群管理制御を行う群管理制御装置２１と、各々のエレベータの動作を個別に制御する複数台のエレベータ制御装置５Ａと、各々のエレベータ制御装置５Ａに対応して設けられた複数台の乗りかご１とを備えている。
【００５６】
各乗りかご１には、カメラ３と、人物認証部である指紋認証部２２と、かごドア２とが設けられ、カメラ３にはカバー開放検出部１０が設けられている。指紋認証部２２は、人物の指紋を読み取り、その読み取り結果に基づいて人物の認証を行なう。
【００５７】
エレベータ制御装置５Ａには、異常操作判定部１１と、閉じ込め制御部１２と、報知部１８とが設けられ、閉じ込め制御部１２には乗りかご移動制御部１７が設けられている。乗りかご移動制御部１７は、閉じ込め制御部１２により閉じ込め制御された乗りかご１を、予め設定された階床に強制的に移動させるものであり、この第３の実施の形態では、防災センタ１９が設けられている階床以外の階床（例えば、最上階の階床）に強制的に移動させるように設定されているものとする。
【００５８】
群管理制御装置２１は、各階床のエレベータホールに設けられたホール呼びボタン２３を押すことによって登録された新規のホール呼びに対して、各乗りかご１の運行状況を基に適切な乗りかご１を対応させる割り当て制御部２４と、各乗りかご１の運行を制御する運行制御部２５とを備えている。
【００５９】
割り当て制御部２４は、閉じ込め制御部１２により取り込め制御された乗りかご１が発生した場合、その乗りかご１に割り当てられているホール呼びをキャンセルして他の乗りかご１に割り当ての変更を行う割り当て変更部２６を備えている。
【００６０】
また、運行制御部２５は、閉じ込め制御部１２により閉じ込め制御された乗りかご１が発生した場合、その乗りかご１が停止している階床に向けて警備担当者である警備員等が乗車した他の乗りかご１を直行させるパトカー運転制御部２７を備えている。
【００６１】
このような構成において、この第３の実施の形態では、カメラ３を操作する権原を有する管理人等がカメラ３を操作する場合には、指紋認証部２２に指を触れることにより認証を行なう。この認証を行なうことにより、カバー９の開放を伴うカメラ３の操作を行っても、カメラ３が異常操作されたとは判定されず、閉じ込め制御部１２による乗りかご１の閉じ込め制御は行われない。指紋認証部２２による人物の認証は、認証のための操作を手間をかけず短時間で行うことができ、操作の間違いによる閉じ込め制御を防止することができる。しかも、カメラ３を操作する権原を有する人物のみを確実に認証することができる。
【００６２】
一方、或る乗りかご１において指紋認証部２２での認証を行わない人物がカバー９の開放を伴うカメラ３の操作を行うと、異常操作判定部１１においてカメラ３が異常操作されたと判定され、閉じ込め制御部１２により当該乗りかご１の閉じ込め制御が行われ、閉じ込め制御された乗りかごが乗りかご移動制御部１７により予め設定された階床に強制的に移動される。
【００６３】
以下、閉じ込め制御部１２により乗りかご１の「閉じ込め制御」が行われた場合の群管理制御装置２１による制御について図９のフローチャートに基づいて説明する。
【００６４】
群管理制御装置２１では、閉じ込め制御部１２による閉じ込め制御が発生したか否かを常時監視している（Ｓ２１）。
【００６５】
或る乗りかご１において閉じ込め制御が発生した場合には（Ｓ２１のＹＥＳ）、割り当て変更部２６により、閉じ込め制御が発生した乗りかご１に割り当てられているホール呼びがキャンセルされ、キャンセルされたホール呼びの割り当てが他の乗りかご１に変更される（Ｓ２２）。
【００６６】
ついで、パトカー運転制御部２７によるパトカー運転制御が行われる（Ｓ２３）。このパトカー運転制御では、閉じ込め制御が発生した乗りかご１以外の乗りかご１に中から最も早く防災センタ１９のある階床に応答できる乗りかご１が選定され、選定された乗りかご１が防災センタ１９のある階床で戸開待機される。戸開待機中は、エレベータ利用者が乗りかご１内に乗り込まないようにアナウンスされ、行先階ボタンには応答しないようになる。防災センタ１９には報知部１８により閉じ込め制御が発生したことが報知されており、警備員が戸開待機中の乗りかご１に乗り込んで指紋認証部２２で認証を行うと、戸開待機していた乗りかご１のかごドア２が閉じ、閉じ込め制御された乗りかご１が停止している階床に向けて直行運転される。
【００６７】
このような構成において、この群管理エレベータの防犯装置によれば、割り当て変更部２６が設けられているので、いずれかの乗りかご１で閉じ込め制御が発生した場合には、閉じ込め制御が発生した乗りかご１に割り当てられていたホール呼びが他の乗りかご１に変更されるので、閉じ込め制御が発生した場合でもエレベータ利用者に対するサービスの低下を防止することができる。
【００６８】
さらに、パトカー運転制御部２７が設けられているので、閉じ込め制御が発生した乗りかご１が停止している階床に警備員を急行させることができ、閉じ込め制御された人物を迅速に捕らえることが可能となる。
【００６９】
なお、本実施の形態においては、人物認証部として指紋認証部２２を例に挙げて説明したが、この人物認証部としては、人物の身体的特徴又は人物が携帯する認証部材を読み取ることが可能なものを使用することができる。例えば、人物の虹彩を読み取って人物を認証する虹彩認証部や、手の血管を読み取って人物を認証する血管認証部や、管理人等が携帯するＩＤカード等を読み取ることにより人物を認証するカードリーダ等を使用することができる。
【図面の簡単な説明】
【００７０】
【図１】本発明の第１の実施の形態に係るエレベータの防犯装置が適用される乗りかごの構造を示す模式図である。
【図２】本発明の第１の実施の形態に係るエレベータの防犯装置の構成を示すブロック図である。
【図３】カメラのカバーが開放された場合におけるエレベータの防犯装置の制御について説明するフローチャートである。
【図４】本発明の第２の実施の形態に係るエレベータの防犯装置の構成を示すブロック図である。
【図５】カメラの構成を示すブロック図である。
【図６】カメラのカバーが開放された場合におけるエレベータの防犯装置の制御について説明するフローチャートである。
【図７】本発明の第３の実施の形態に係る群管理エレベータの防犯装置の全体構成を示すブロック図である。
【図８】乗りかごとエレベータ制御装置との構成を示すブロック図である。
【図９】閉じ込め制御部により乗りかごの閉じ込め制御が行われた場合の群管理制御装置による制御について説明するフローチャートである。
【符号の説明】
【００７１】
１      乗りかご
２      かごドア
３、３Ａ  カメラ
４      暗証番号入力部（人物認証部）
８      記録媒体
９      カバー
１０      カバー開放検出部
１１      異常操作判定部
１２      閉じ込め制御部
１４      第２記録部
１５      記録保護部
１６      記録場所変更部
１７      乗りかご移動制御部
１８      報知部
２０      閉じ込め制御解除部
２２      指紋認証部（人物認証部）
２６      割り当て変更部
２７      パトカー運転制御部
【図１】
2009214968.tif 000003
【図２】
2009214968.tif 000004
【図３】
2009214968.tif 000005
【図４】
2009214968.tif 000006
【図５】
2009214968.tif 000007
【図６】
2009214968.tif 000008
【図７】
2009214968.tif 000009
【図８】
2009214968.tif 000010
【図９】
2009214968.tif 000011